(57)【要約】      （修正有）【課題】リバーシブル型の鍵においても施解錠表示を適切に行うことができると共に、この施解錠表示をより簡易かつコンパクトな機構で実現する。【解決手段】施解錠表示機構を、握り部の回転角度に応じて鍵ブランク２の長手方向と直交する方向に移動可能な単一の移動体５０と、移動体の移動範囲を制限すると共に移動体が移動できる第１、第２の領域を備えかつ握り部に固定された案内部材４０と、案内部材に対して鍵ブランクの長手方向に接近・離間でき、接近時、移動体を案内部材との間で挟持して保持することができると共に第１の領域にのみ進入可能な突起部を有し、かつ、自己の一部を鍵ブランクの先端方向に向かって握り部の外へと露出して錠前への挿入の有無をセンスするスイッチ部材２０と、スイッチ部材を鍵ブランクの先端方向へと常時付勢するスプリング６０と、スイッチ部材の長手方向位置を判断する表示窓１１およびマーキング２５ａで構成する。【選択図】図２
2010203105.tif 000002
【特許請求の範囲】
【請求項１】
鍵ブランクと該鍵ブランクを支持すると共に施解錠表示機構を収めた握り部を備える鍵であって
前記施解錠表示機構が、
前記鍵ブランクを錠前に挿入することにより錠前側に当接して前記鍵ブランクの長手方向にスライドするスライド部材と、
該スライド部材を前記鍵ブランクの先端方向へと常時付勢する付勢部材と、
該スライド部材のスライド位置を握り部の回転方向の操作に応じて異なる位置に固定するロック機構と、
前記スライド部材のスライド位置を判断する位置判断手段と、を有してなることを特徴とする、
鍵。
【請求項２】
鍵ブランクと該鍵ブランクを支持すると共に施解錠表示機構を収めた握り部を備える鍵であって、
前記施解錠表示機構が、
前記握り部の回転角度に応じて重力により前記鍵ブランクの長手方向と直交する方向に移動可能な単一の移動体と、
該移動体の移動範囲を制限すると共に前記握り部の回転方向に応じて前記移動体が移動する第１、第２の領域を備えかつ前記握り部に固定された案内部材と、
前記案内部材に対して前記鍵ブランクの長手方向に接近・離間でき、接近時、前記移動体を前記案内部材との間で挟持して保持することができると共に前記第１の領域にのみ進入可能な突起部を有し、かつ、自己の一部を前記鍵ブランクの先端方向に向かって前記握り部の外へと露出して錠前への挿入の有無をセンスするスイッチ部材と、
該スイッチ部材を前記鍵ブランクの先端方向へと常時付勢する付勢部材と、
前記スイッチ部材の前記長手方向位置を判断する位置判断手段と、を有してなることを特徴とする、
鍵。
【請求項３】
前記位置判断手段が、前記握り部に形成された表示窓と、前記スライド部材における当該表示窓から視認できる位置に形成されたマーキングと、を有してなることを特徴とする、
請求項２に記載の鍵。
【請求項４】
前記表示窓が、握り部の表面または裏面のいずれか、もしくは両方に形成されていることを特徴とする、
請求項３に記載の鍵。
【請求項５】
前記案内部材が、平面視略矩形の有底四角筒体であって、前記移動体の移動範囲を制限する壁面の四辺中央がそれぞれ内側に隆起して隆起部を形成し、かつ、短辺側の前記隆起部を結ぶ仮想線上であって長辺側の前記隆起部を結ぶ仮想線との交点から等距離の位置に、前記移動体の移動をガイドするガイド突起が１つずつ形成されていることを特徴とする、
請求項２〜４のいずれかに記載の鍵。
【請求項６】
前記短辺側の前記隆起部を結ぶ仮想線を境として一方側が前記第１の領域であり他方側が第２の領域であることを特徴とする、
請求項５に記載の鍵。
【請求項７】
更に、前記第１、第２の領域が、前記長辺側の前記隆起部を結ぶ仮想線を境に反転していることを特徴とする、
請求項６に記載の鍵。
【請求項８】
前記第１の領域には、前記スイッチ部材に形成された突起部を貫通させることが可能な貫通孔が形成されていることを特徴とする、
請求項７に記載の鍵。
【請求項９】
前記ガイド突起の少なくとも前記交点側の側面が円弧状に形成されていることを特徴とする、
請求項５〜８のいずれかに記載の鍵。
【請求項１０】
前記ガイド突起が、平面視丸型に形成されていることを特徴とする、
請求項５〜８のいずれかに記載の鍵。
【請求項１１】
前記移動体が、棒状部材の両端部のみが大きく形成された骨型をなしていることを特徴とする、
請求項２〜１０のいずれかに記載の鍵。
【請求項１２】
施解錠表示機構を収めた鍵の握り部であって、
前記施解錠表示機構が、
前記握り部の回転角度に応じて取り付けられる鍵ブランクの長手方向と直交する方向に移動可能な単一の移動体と、
該移動体の移動範囲を制限すると共に前記握り部の回転方向に応じて前記移動体が移動する第１、第２の領域を備えかつ前記握り部に固定された案内部材と、
前記案内部材に対して前記鍵ブランクの長手方向に接近・離間でき、接近時、前記移動体を前記案内部材との間で挟持して保持することができると共に前記第１の領域にのみ進入可能な突起部を有し、かつ、自己の一部を前記鍵ブランクの先端方向に向かって前記握り部の外へと露出して錠前への挿入の有無をセンスするスイッチ部材と、
該スイッチ部材を、常時、前記鍵ブランクの先端方向へと付勢する付勢部材と、
前記スイッチ部材の前記長手方向位置を判断する位置判断手段と、を有してなることを特徴とする、
鍵の握り部。
【発明の詳細な説明】
【技術分野】
【０００１】
本発明は、施解錠の状態を表示する機能を備えた鍵に関する。
【背景技術】
【０００２】
従来、施解錠表示機構付き鍵に関する技術として、例えば、特許文献１〜３に記載のものがある。
【０００３】
特許文献１に記載の技術は、錠前側と鍵側の双方に磁石を組み込み、この磁石の組み合わせによって施解錠の表示を切り換えるというものである。
【０００４】
また、特許文献２に記載の技術は、鍵の挿入方向と直行する方向に形成された溝内に重力によって移動することができる小球を配置しておき、更にこの溝の途中をスライド可能な仕切り（突起部）で仕切っておく。この仕切りはバネにより付勢され通常は溝を仕切っているが、鍵を錠前に挿入した際、その挿入反力によって仕切りがスライドし、小球が移動可能となるように構成されている。即ち、鍵を差し込んだ状態でこの鍵を回すと、解放された溝内を小球が重力によって下方向に移動するため、この小球の位置によって施解錠の状態を表示するというものである。
【先行技術文献】
【特許文献】
【０００５】
【特許文献１】特開平１０−１９６１７５号公報
【特許文献２】特開２００６−１６９４６号公報
【発明の概要】
【発明が解決しようとする課題】
【０００６】
しかしながら、上記特許文献１の鍵にあっては、錠前側と鍵側の双方に磁石を組み込む必要があり、既存の鍵に施解錠の表示を容易に追加することができない。
【０００７】
また、上記特許文献２の鍵にあっては、表裏（上位下）関係なく使用されるリバーシブル型の鍵に適用した場合、必ずしも正確に施解錠を表示することができないといった問題がある。
【０００８】
このような問題点を考慮し、出願人は既に、特願２００８−１２７８３９において、「鍵ブランクに結合された把持部の内部空間に、錠前に対する鍵ブランクの差し込み方向に直交する方向に移動可能なボール体を収納し、施解錠操作時に前記鍵ブランクを回転させることにより、前記ボール体を重力で移動させて保持し、その保持された位置に応じて施錠または解錠の位置が表示されるように構成されたことを特徴とする、施解錠表示機構付き鍵」の発明、並びに、「錠前の鍵穴に抜き差しされる鍵ブランクと、該鍵ブランクに結合され内部に空間を形成した把持部と、該把持部の内部空間に設けた施解錠表示手段と、を具備する施解錠表示機構付き鍵であって、前記施解錠表示手段を、前記鍵ブランクの長手軸線における延長上の前記内部空間に設けたボール体、該ボール体の移動を許容して保持する保持部、該保持部に対向する前記把持部に形成され、前記保持部を移動する前記ボール体を解錠位置および施錠位置へガイドする案内溝、および該保持部と係脱自在に設けられ前記鍵ブランクが抜き差しされる方向に直交する方向に移動可能なスライダで形成し、前記鍵ブランクを前記錠前の鍵穴に差し込んで施解錠操作するときのみ、前記スライダが前記保持部に対する係合から解脱する一方で、前記保持部と前記スライダとによる前記ボール体の拘束が解除され、前記鍵ブランクの回転に連動して前記スライダと共に前記ボール体が前記鍵ブランクの挿入方向に対して直交する方向へ重力により落下することにより、前記ボール体が施錠位置または解錠位置に移動して保持されるように構成したことを特徴とする、施解錠表示機構付き鍵」の発明、更には、「錠前の鍵穴に抜き差しされる鍵ブランクと、該鍵ブランクに結合され内部に空間を形成した把持部と、該把持部の内部空間に設けた施解錠表示手段と、該施解錠表示手段に係脱する係脱作動手段と、を具備する施解錠表示機構付き鍵であって、前記施解錠表示手段を、前記鍵ブランクの長手軸線における延長上の前記内部空間に設けたボール体、前記長手軸線に直交する方向に指向すると共に該ボール体を着座させる保持部、該保持部に対向する前記把持部に形成され、前記保持部を移動する前記ボール体を解錠位置および施錠位置へガイドする案内溝、および該保持部と係脱可能に設けられ前記長手軸線に対して直交する方向に移動可能なスライダで形成し、施解錠操作をしないとき、前記スライダは前記保持部と前記係脱作動手段との間に挟持されて移動を拘束され、かつ、前記ボール体は前記保持部および前記スライダにより移動を拘束され、前記鍵ブランクを鍵穴に差し込んで施錠操作または解錠操作をするときには、前記係脱作動手段が前記錠前に衝合することにより、前記係脱作動手段が前記スライダから離反して前記スライダの拘束を解除し、かつ、鍵ブランクの回転に連動して前記スライダと共にボール体が重力により落下することにより、前記ボール体が前記案内溝にガイドされて解錠位置または施錠位置に移動し、前記スライダおよび前記保持部により拘束保持されるように構成したことを特徴とする、施解錠表示機構付き鍵」の発明を提案し、施解錠表示機構を、リバーシブル型の鍵に適用することを実現している。
【０００９】
しかしながらこの提案済の発明は、部品点数が多く組み付けに手間とコストがかかる。また、これら部品点数の多い複雑な機構部分が鍵の握り部に集中しているため握り部が必然的に大きくなり、操作面において更には意匠面において自由度が制限されるという改良の余地があった。
【００１０】
更に、施解錠表示が鍵の握り部の上面（端面）に備わっていることから、施解錠の表示を一見してわかるように大きく表示しようとすれば、それは握り部の厚みを大きくすることに等しく、操作面および意匠面との兼ね合いから自由度が低いといった改良の余地があった。
【００１１】
本発明は、上記改良点を考慮に入れ、更に優れた施解錠表示機構を備えた鍵（およびその握り部）を提供するべくなされたものであって、リバーシブル型の鍵においても施解錠表示を適切に行うことができると共に、この施解錠表示をより部品点数が少なくかつコンパクトな機構で実現することをその課題としている。
【課題を解決するための手段】
【００１２】
本発明は、鍵ブランクと該鍵ブランクを支持すると共に施解錠表示機構を収めた握り部を備える鍵であって、前記施解錠表示機構が、前記鍵ブランクを錠前に挿入することにより錠前側に当接して前記鍵ブランクの長手方向にスライドするスライド部材と、該スライド部材を前記鍵ブランクの先端方向へと常時付勢する付勢部材と、該スライド部材のスライド位置を握り部の回転方向の操作に応じて異なる位置に固定するロック機構と、前記スライド部材のスライド位置を判断する位置判断手段と、を有してなることを特徴とする。
【００１３】
即ち、握り部の回転によって移動する小球などの位置によって施解錠の状態を外部に表示するのではなく、鍵ブランクを錠前に挿入することによってスライドするスライド体そのものを所定の条件下で所定の位置に固定し、この固定された位置によって施解錠の状態を判断しようとするものである。例えば、鍵を錠前に挿入するとスライド部材の一部が錠前に当接して初期位置からスライド移動する。このスライドした状態で握り部を回転させると、その回転方向や回転角度などの諸条件を勘案して一定の条件を満たした場合にのみロック機構が働き、このスライド体の位置を初期位置とは異なる位置に固定する。一方、一定の条件を満たさない場合には固定せずスライド体が付勢部材による付勢によって初期位置まで戻される。その結果、スライド体の位置を見ることで施解錠の状態を判断できる。なお、ロック機構が解除される場合も同様である。
【００１４】
より具体的には、鍵ブランクと該鍵ブランクを支持すると共に施解錠表示機構を収めた握り部を備える鍵であって、前記施解錠表示機構が、前記握り部の回転角度に応じて重力により前記鍵ブランクの長手方向と直交する方向に移動可能な単一の移動体と、該移動体の移動範囲を制限すると共に前記握り部の回転方向に応じて前記移動体が移動する第１、第２の領域を備えかつ前記握り部に固定された案内部材と、前記案内部材に対して前記鍵ブランクの長手方向に接近・離間でき、接近時、前記移動体を前記案内部材との間で挟持して保持することができると共に前記第１の領域にのみ進入可能な突起部を有し、かつ、自己の一部を前記鍵ブランクの先端方向に向かって前記握り部の外へと露出して錠前への挿入の有無をセンスするスイッチ部材と、該スイッチ部材を前記鍵ブランクの先端方向へと常時付勢する付勢部材と、前記スイッチ部材の前記長手方向位置を判断する位置判断手段と、を有して構成する。
【００１５】
移動体は、握り部の回転方向や角度に応じて第１の領域若しくは第２の領域のいずれかの位置に移動する。その後、鍵ブランクを錠前から抜くと、付勢部材によってスイッチ部材が鍵ブランクの先端方向へと押し戻されるが、移動体が第１の領域に在るときは、スイッチ部材に形成された突起部が移動体に当接する。一方、移動体が第２の領域に在るときは、スライド部材の突起部は第１の領域内に進入できる。即ち、移動体が第１の領域に在るときと第２の領域に在るときで、移動体を両部材が挟持する相対位置（案内部材とスイッチ部材との相対位置）が変化する（ロック機構）。案内部材は握り部側に固定されているので、その相対位置の変化はスイッチ部材の位置の変化として現れる。このスイッチ部材の位置の変化を見ることによって、施解錠の状態を判断することが可能となっている。
【００１６】
なお、施解錠を表示するための機構の主要部分を、単一の移動体、案内部材、スイッチ部材、付勢部材という僅か４つの部材で実現しているため、部品点数が少なく組み付けが容易であり、更にパンタグラフ構造のような部材の複雑な動きも伴わないため、繰り返し精度を高く維持することができ、耐久性にも優れている。
【００１７】
また、前記位置判断手段を、前記握り部に形成された表示窓と、前記スライド部材における当該表示窓から視認できる位置に形成されたマーキングと、を有した構成とすることが望ましい。
【００１８】
このような構成とすれば、表示窓に表示されるマーキングの有無、あるいはマーキングの種類を見るだけでスイッチ部材の位置、更には施解錠の状態を判断することができる。なお、このマーキングは、例えば、文字、図形、記号、若しくはこれらの結合であってもよく、更に、スイッチ部材自体の形状、模様、色彩、若しくはこれらの組み合わせであってもよい。
【００１９】
また、前記表示窓を、握り部の表面または裏面のいずれか、もしくは両方に形成することによって、見やすく、判断しやすい施解錠表示を実現できる。また、表示窓が握り部の表面または／および裏面に設けられていることから、例えば表示窓を大きくしてより見やすく構成した場合でも、握り部の厚みを大きくする必要はなく、操作面、意匠面において自由度が制限されることもない。
【００２０】
また、前記案内部を、平面視略矩形の有底四角筒体であって、前記移動体の移動範囲を制限する壁面の四辺中央がそれぞれ内側に隆起して隆起部を形成し、かつ、短辺側の前記隆起部を結ぶ仮想線上であって長辺側の前記隆起部を結ぶ仮想線との交点から等距離の位置に、前記移動体の移動をガイドするガイド突起が１つずつ形成するように構成することが望ましい。
【００２１】
このような構成とすることによって、移動体が移動する第１、第２の領域を形成できると共に、移動体を、移動体の初期位置、握り部の回転方向および回転角度によって、適切に第１、第２の領域のいずれかに振り分けて案内することが可能となっている。また、樹脂などを用いて容易に一体成形することも可能であり、部品点数の増加を防止している。
【００２２】
具体的には、前記短辺側の前記隆起部を結ぶ仮想線を境として一方側を前記第１の領域、他方側を第２の領域とし、更に、前記第１、第２の領域を、前記長辺側の前記隆起部を結ぶ仮想線を境に反転して構成する。
【００２３】
即ち、交点を中心にＸ字状に四方に分岐する４つの移動領域のうちクロス配置される一対の領域の一方が第１の領域であり、他方が第２の領域となっている。このように構成することで、リバーシブル型の鍵への適用も問題とならない。
【００２４】
また、前記第１の領域には、前記スイッチ部材に形成された突起部を貫通させることが可能な貫通孔を形成しておくことが望ましい。
【００２５】
貫通孔を形成しておくことによって、（スイッチ部材の）突起部が案内部材に誤って接触してしまうことを未然に防止できると共に、突起部を長く構成することが可能となり、移動体の有無による相対位置（案内部材とスイッチ部材が移動体を挟持する位置）の差を大きく確保することができる。
【００２６】
また、前記ガイド突起の少なくとも前記交点側の側面を円弧状に形成することが望ましい。または、前記ガイド突起を、平面視丸型に形成することが望ましい。
【００２７】
このように構成することで、移動体の移動をスムーズにガイドし、施解錠表示の正確性を向上させることが可能となる。
【００２８】
また、前記移動体を、棒状部材の両端部のみが大きく形成された骨型に形成することが望ましい。
【００２９】
このような構成とすることで、移動体を単一体で構成することができると共に、２つの球体の動きで実現していた機能を単一の移動体でも実現することができる。また、樹脂などにより一体成形することも容易であり、部品点数の増加を防止している。。
【００３０】
なお、本発明は、見方を変えると、施解錠表示機構を収めた鍵の握り部であって、前記施解錠表示機構が、前記握り部の回転角度に応じて取り付けられる鍵ブランクの長手方向と直交する方向に移動可能な単一の移動体と、該移動体の移動範囲を制限すると共に前記握り部の回転方向に応じて前記移動体が移動する第１、第２の領域を備えかつ前記握り部に固定された案内部材と、前記案内部材に対して前記鍵ブランクの長手方向に接近・離間でき、接近時、前記移動体を前記案内部材との間で挟持して保持することができると共に前記第１の領域にのみ進入可能な突起部を有し、かつ、自己の一部を前記鍵ブランクの先端方向に向かって前記握り部の外へと露出して錠前への挿入の有無をセンスするスイッチ部材と、該スイッチ部材を、常時、前記鍵ブランクの先端方向へと付勢する付勢部材と、前記スイッチ部材の前記長手方向位置を判断する位置判断手段と、を有してなることを特徴とする鍵の握り部として捉えることも可能である。
【００３１】
即ち、鍵ブランクを適宜取り替えることによって様々な形態の鍵に対応することができ、また、既存の鍵ブランクに対してこの握り部を取り付けることによって、容易に施解錠表示機構を備えた鍵を提供することが可能である。
【発明の効果】
【００３２】
本発明によれば、少ない部品点数で施解錠表示機構を実現できるため、組み付け作業が容易となりコストも削減できる。また、少ない部品点数でコンパクトに構成できるため、握り部の設計の自由度が向上し操作面および意匠面に優れた鍵（握り部）を提供できる。
【図面の簡単な説明】
【００３３】
【図１】本発明の実施形態の一例を示す施解錠表示機構を備えた鍵の正面（表面）図である。
【図２】鍵の内部構造を示した一部分解斜視図である。
【図３】スイッチ部材（スライド部材）の斜視図である。
【図４】（ａ）はスイッチ部材（スライド部材）の右側面図である、（ｂ）はスイッチ部材（スライド部材）の正面図である、（ｃ）は図４（ｂ）の矢視ｃ−ｃ線に沿う断面図、（ｄ）は図４（ｂ）の矢視ｄ−ｄ線に沿う断面図である、（ｅ）はスイッチ部材（スライド部材）の背面図である。
【図５】（ａ）は案内部材の斜視図である、（ｂ）は同平面図である、（ｃ）は図５（ｂ）の矢視ｃ−ｃ線に沿う断面図である
【図６】（ａ）は移動体の斜視図である、（ｂ）は同正面図である、（ｃ）は同底面図である。
【図７】ストッパの斜視図である
【図８】握り部の回転に応じて、移動体が案内部材に案内される過程を示した図であって、（ａ）は初期状態を示した図である、（ｂ）は握り部を右に９０°回転させた状態を示した図である、（ｃ）は（ｂ）の状態から左に９０°回転させて握り部を元の位置に戻した状態を示した図である、（ｄ）は初期状態から握り部を左に９０°回転させた状態を示した図である、（ｃ）は（ｄ）の状態から右に９０°回転させて握り部を元の位置に戻した状態を示した図である、（ｅ）は鍵を錠前に挿入する際に移動体が上方に位置していた場合を示した図である。
【図９】鍵ブランクが錠前に差し込まれた状態を示す一部分解斜視図である。
【図１０】鍵ブランクが錠前に差し込まれていない状態を示す一部分解斜視図であって、移動体が第１の領域に位置している場合の状態を示した図である。
【図１１】鍵ブランクが錠前に差し込まれていない状態を示す一部分解斜視図であって、移動体が第２の領域に位置している場合の状態を示した図である。
【図１２】握り部の回転角度に応じて案内部材と移動体の位置関係を示した概略図である。
【図１３】案内部材内を移動体が移動する過程を示した図である。
【発明を実施するための形態】
【００３４】
以下、本発明の実施形態について図面を参照しつつ詳細に説明する。
【００３５】
図１は、本発明の実施形態の一例を示す施解錠表示機構を備えた鍵の正面図、図２は、鍵の内部構造を示した一部分解斜視図である。
〈施解錠表示機構を備えた鍵の構成〉
施解錠表示機構付き鍵（以下、単に「鍵」ともいう）１の外観は、図１に示している通り、主に、鍵ブランク２と、鍵ブランク２を支持固定する握り部３とからなる。また、握り部３の内部には施解錠表示機構４が設けられている。
【００３６】
鍵ブランク２は、加工し易く耐摩耗性を有する金属、例えば、洋白等から形成され、錠前（図示していない）の鍵穴に挿し込んで所要角度回動して施錠または解錠を行う。本実施形態の場合、鍵１は水平な状態にして鍵穴に差し込み、この状態から時計回り（右）または半時計回り（左）へ９０°回転することで施解錠操作ができるリバーシブル鍵である。
【００３７】
握り部３は、合成樹脂材料、例えばＡＢＳ樹脂などによって構成され、内部空間５が形成されている。また握り部３は表面側および裏面側で分割される２ピース構造のケース１０を主体に構成され、ケース１０の表面側には表示窓１１が形成されている。なお符号７０は、紐などを通して鍵１を係止するため紐通し部材である。
【００３８】
ケース１０の内部には、施解錠表示機構４が収容されている。この施解錠表示機構４は、スイッチ部材２０、案内部材４０、移動体５０、コイルバネ（付勢部材）６０および位置判断手段６から構成されている。
【００３９】
スイッチ部材２０は、図３および図４に示しているように、略矩形平板状の挟持板２１と、マーキング２５ａが施された表示部２５と、ケース１０の外に一部を露出して、錠前への挿入の有無をセンスする検知部２７（２７ａ、２７ｂ）と、挟持板２１と表示部２５とを繋ぐステム部２４を有してなる。本実施形態ではこれらは全て樹脂により一体成形されている。またこのスイッチ部材２０は、ケース１０内を所定の範囲で、鍵ブランク２の長手方向に進退動可能とされている。
【００４０】
挟持板２１の下面（図４において下面）側には、当該挟持板２１の長手方向両端から突起部２３がそれぞれ形成されている。この突起部２３はいずれも挟持板２１から検知部２７の方に向かって（即ち下方に向かって）延在して形成される。また、一方の突起部２３ａは正面側に寄って形成され、他方の突起部２３ｂは背面側に寄って形成されている。即ち、段違いとなるように形成されている。また同様に挟持板２１の下面には、略小判型の２つの凸面部２２が形成されている。図面からも容易に理解できるように、この凸面部２２は突起部２３よりも短く（低く）形成されている。
【００４１】
挟持板２１の正面側端の中央から下方に伸びるステム部２４は、その断面が略三角形とされており、後述する案内部材４０の外周面の凹部４５（詳細は後述する）に丁度嵌り込める形状となっている。
【００４２】
表示部２５は、ステム部２４に比べて幅広に構成され、正面側の上部にはマーキング２５ａが施されている。このマーキング２５ａは、施解錠の状態をケース１０に設けられた表示窓１１を介して外部に表示する役割を果たす。また、マーキング２５ａは、図面上ではクロスハッチングとして示しているが、これに限定されず、「開」、「閉」等の文字やそれを意味する図形、記号、更にはこれらを組み合わせたものであってもよい。更には、表示部２５自体の形状や、模様、色彩やこれらの組み合わせによって表現されていてもよい。
【００４３】
検知部２７は、２股に分かれた構成とされ、第１の検知部２７ａと第２の検知部２７ｂとからなる。両検知部２７ａ、２７ｂの間の隙間Ｇは、鍵ブランク２が挿入される部分であり、鍵ブランク２に対する「逃げ」の役割を果たす。また、両検知部２７ａ、２７ｂの先端面は円弧状に形成されている。
【００４４】
なお、符号２６は張出部であり、ケース１０の内面に摺動可能な程度に当接し、ケース１０に対するスイッチ部材２０の位置決め（図２において上下方向の位置決め）を行う。
【００４５】
このスイッチ部材２０は、図２に示しているように、ケース１０の内部空間５に収容される。但し、検知部２７の先端に限ってはケース１０がら外部へと露出している。この露出は、鍵ブランク２のイ根本から鍵ブランク２にそって先端方向へと延在するように露出している。また、スイッチ部材２０の張出部２６は、ケース１０の第１ガイド壁１０ａに当接するように組み込まれる。また、スイッチ部材２０の挟持板２１の両側面が、第２ガイド壁１０ｂに当接するように組み込まれる。このように、スイッチ部材２０は、鍵ブランク２の長手方向には進退動（スライド）することができるが、長手方向と直交する方向には殆ど動くことができない構成とされている。
【００４６】
案内部材４０は、図５に示しているように、平面視略矩形の有底四角筒体である。底面４１を全周に渡ってとり囲むように壁面４２が形成されている。この壁面４２は、移動体（詳細は後述する）５０の移動範囲を制限する機能を有している。壁面４２の四辺中央がそれぞれ内側に所定の角度で隆起して隆起部４２を形成し、かつ、短辺側の隆起部４２ａを結ぶ仮想線ｖ１上であって長辺側の隆起部４２ｂを結ぶ仮想線ｖ２との交点ｃｐから等距離の位置に、移動体５０の移動をガイドするガイド突起４３が１つずつ形成されている。また、底面４１における短辺側の隆起部４２ａ近傍にはそれぞれ貫通孔４４が形成されている。この貫通孔４４は、スイッチ部材２０の挟持板２１に形成された突起部２３を貫通させるための孔である。
【００４７】
また、案内部材４０においては、上記２本の仮想線ｖ１、ｖ２によって４つに仮想的に区画されるが、このうち貫通孔４４の大部分が位置している領域が第１の移動領域α、それ以外が第２の移動領域βである。即ち、短辺側の隆起部４２ａを結ぶ仮想線ｖ１を境として一方側が第１の領域αであり他方側が第２の領域βであり、更に、この第１、第２の領域α、βが、長辺側の隆起部４２ｂを結ぶ仮想線ｖ２を境に反転して位置している。
【００４８】
なお、この案内部材４０はケース１０に固定されている。また外周面に形成された２つの凹部４５のいずれか一方に、スイッチ部材２０のステム２４が嵌り込む態様で、かつ、底面４１が鍵ブランク２の先端方向に位置するようにケース１０内に配置されて組み込まれている。その結果、スイッチ部材２０が鍵ブランク２の先端方向に移動すると挟持板２１が案内部材４０側に接近するような構成とされている。この時、後述する移動体５０が案内部材４０の第１の領域αに在るときは突起部２３が移動体５０に当接するためこの当接した位置で固定されるような構成とされ、一方、移動体５０が案内部材４０の第２の領域βに在るときは、突起部２３は貫通孔４４を貫通してより案内部材４０に接近し、凸面部２２が移動体５０に当接した時点で固定されるような構成とされている。
【００４９】
移動体５０は、図６に示しているように、棒状の部材の両端部のみが平面視円形に大きく形成されており、その結果として、所謂「骨型」の形状に構成されている。即ち、２つの円柱部５２とこれを繋ぐ連結部５４とから構成されている。また、連結部５４の厚み（図６において高さ方向の厚み）は円柱部５２の厚みよりも薄く構成されており。これにより隙間Ｇ２が形成されている。なおこの隙間Ｇ２の高さは、前述した案内部材４０のガイド突起４３の高さより大きく形成され、移動体５０が案内部材４０の中で移動する際に、連結部５４とガイド突起４３とが接触しないように構成されている。また、両端部の形状は必ずしも円柱形状でなくともよく、例えば球体、半円体、半球体などの形で構成することも可能である。
【００５０】
なおこの移動体５０は、今まで２つの球体で実現して機能を単一の部材で実現するためのものであり、謂わば、今までの２つの球体を連結部材でさせたものに相当する。またこの移動体５０は、案内部材４０の中に隙間Ｇ２を下方向にして組み込まれる。その結果、この移動体５０は、案内部材４０の底面４１とスイッチ部材２０の挟持板２１によって挟持されることが可能な構成となっている。
【００５１】
コイルバネ（付勢部材）６０は、図２に示しているように、スイッチ部材２０を鍵ブランク２の先端方向へと常時付勢するためのものであり、スイッチ部材２０の挟持板２１の上面側に配置されている。バネレートは適宜選択可能であるが、スイッチ部材２０を十分に付勢できると共に、鍵ブランク２を錠前に差し込む際に、過度の負担増加とならない程度に設定される。なお、本実施形態では挟持板２１の上面側に配置されているが、必ずしもこの位置に配置されていることが要件とはならない。また、複数のコイルバネで構成してもよいし、スイッチ部材２０を付勢できる限りにおいて、コイルバネ以外の弾性体（例えばゴム、板バネ、皿バネなど）を広く適用することも可能である。
【００５２】
位置判断手段６は、図１および図２に示しているように、本実施形態においては、スイッチ部材２０の表示部２５に施したマーキング２５ａと、このマーキング２５ａを外部から視認するためケース１０の表示窓１１とで構成される。即ち、施錠状態にあるか解錠状態にあるかによって表示窓１１から視認できるマーキング２５ａが見えたり見えなくなったりするように構成されている。若しくは施錠状態で表示されるマーキング２５ａと解錠状態で表示されるマーキング２５ａとが変化するように構成されている。
【００５３】
なお符号８０は、ストッパである（図７参照）。このストッパ８０は、案内部材４０に移動体５０を収容した上で、案内部材４０に蓋をする態様で取り付けられ、移動体５０が案内部材４０から飛び出すことを防止するための部材である。このストッパ８０には、２つの凹部８０ａが形成されている。この凹部８０ａは、スイッチ部材２０の挟持板２１に形成されている凸面部２２を逃がすためのものであり、この凹部８０ａを介して挟持板２１が移動体５０を挟持（案内部材４０の底面４１との間で挟持）することができる。
【００５４】
なお、握り部３はＡＢＳなどの合成樹脂材の他にも、アルミダイキャスト、粉末冶金で焼成して成形するなど、他の樹脂以外の素材を用いて形成することも可能である。
〈施解錠表示機構を備えた鍵の施解錠操作〉
続いて、図８〜図１３を参照しつつ、鍵１の施解錠操作とそれに伴う作用について説明する。なお、以下の実施形態では、錠前の鍵穴に鍵１の握り部３を水平に把持した状態で挿入し、その状態から時計回り（右回り）に９０°回転させた後９０°戻す操作が解錠操作であり、一方、反時計回り（左回り）に９０°回転させた後９０°戻す操作が施錠操作となっている。また、鍵ブランク２は両面いずれの側も挿入することができるリバーシブル型を前提としている。もちろんリバーシブル型に適応でてき以上、挿入方向が決まっている非リバーシブル型の鍵ブランクにも当然適用可能である。
【００５５】
なお、図８においては、案内部材４０と移動体５０の動きを模式的に示しているため、細部を意図的に図示していない。また、案内部材４０の周りに示すα、βの記号は、当該記号が付されている近傍が第１の領域αであるのか若しくは第２の領域βであるのかを示している（図９〜１１において同じ）。
（初期状態）
以下、図８（ａ）の状態を、説明の都合上初期状態として説明する。ここでは移動体５０が案内部材４０の第１の領域αに位置しているため、スイッチ部材２０の挟持板２１に形成されている突起部２３の先端が移動体５０に当接し、スイッチ部材２０はそれ以上鍵ブランク２の先端側に移動することができない。また、この状態の時は、表示窓１１からマーキング２５ａは視認できず、スイッチ部材２０の表示部２５の地色が視認できるのみである。なおここではこの状態を解錠状態として説明するが、反対にこの状態を施錠状態としてもよい。
【００５６】
(初期状態の鍵を錠前に押しつけた場合)
初期状態で鍵ブランク２を錠前に挿入すると、図９に示しているように、検知部２７の先端面が錠前９０に当接するため、スイッチ部材２０がスライドする。その結果、初期状態で突起部２３と案内部材４０（の底面４１）で挟持されていた移動体５０の挟持が解除され、移動体５０は自由に移動できるようになる。図８（ａ）で示したように、もともと移動体５０が下側に位置していた場合には、解除後もそれ以上移動することはなく、それまでの位置関係を保ったままの状態となる。一方、図８（ｆ）として示しているように、移動体５０がもともと上方に位置していた場合には、解除により自由落下する。ただしこの場合でも、案内部材の隆起部４２ｂおよびガイド突起４３の存在によって、必ず第１の領域α側にのみ落下して移動するようになっている。その結果、図８（ａ）と同じ状態となる。
（初期状態から解錠操作を行った場合）
次に、ａ→ｂ→ｃの流れとして図８に示されているように、初期状態、即ち、既に解錠状態となっている鍵を誤って更に解錠操作した場合について説明する。解錠操作は時計回り（右回り）に９０°回転させた後９０°戻されるが、時計回り（右回り）に９０°回転させても図８（ｂ）に示すように、案内部材４０と移動体５０との位置関係に何ら変化はない。その後９０°戻した場合も同じであり、初期状態と同じ状態に戻るだけである。即ちこのまま錠前から鍵ブランク２を抜いても、施解錠表示に変化はなく、解錠表示がされたままの状態となる（図９参照）。このように誤って反対方向に操作した場合も、施解錠の表示が誤った表示となることがない。
（初期状態から施錠操作を行った場合）
次に、次に、ａ→ｄ→ｅの流れとして図８に示されているように、初期状態、即ち、解錠状態となっている鍵を施錠操作した場合について説明する。施錠操作は反時計回り（左回り）に９０°回転させた後９０°戻される。反時計回り（左回り）に９０°回転させると図８（ｄ）に示すように、移動体５０の一端（隆起部４２ａに係合している側の端）が重力より落下し、第２の領域β側に移動する。その後９０°戻しても、図８（ｅ）に示すように、移動体５０は第２の領域βに位置したままとなる。この状態で錠前から鍵ブランク２を抜いた場合、スイッチ部材２０の突起部２３の先端は移動体５０に当接することなく、案内部材４０の底面４１に形成された貫通孔４４を貫通する（図１１参照）。その結果、スイッチ部材２０は、初期状態に比べて、より鍵ブランク２の先端方向に移動して固定されるため、表示窓１１から視認できる位置にマーキング２５ａがスライドして移動する。即ち、施解錠表示が「施錠状態」となる。なお、図示していないが、施錠状態の鍵を更に施錠操作した場合も、解錠状態の鍵を更に解錠操作した場合と同じく、移動体５０の在る領域が変化することはなく、施錠状態の表示が継続する。
【００５７】
なお、本実施形態の案内部材４０と移動体５０の組み合わせにより、中途半端な施解錠操作では移動体５０が第１の領域αから第２の領域βに移動したり、反対に、第２の領域βから第１の領域αに移動したりしないようになっている。より具体的には、図１２（ａ）に示しているように、案内部材４０の傾き、即ち握り部３の回転角度θが３０°程度の場合は、隆起部４２ａの存在によって移動体５０の領域が変化することはない。領域の変化は、本実施形態では、図１２（ｂ）に示しているようにθが７０°程度となった時点で行われる。この変化する程度の調整は、隆起部４２ａの隆起する程度や角度を調整することで適宜調整することが可能となっている。
【００５８】
また、図１３に示しているように、移動体５０が、重力によって上方から下方へと落下するように移動する場合においても、案内部材４０に形成されているガイド突起４３の側面形状によって、引っ掛かりが生じることなくスムーズな移動を実現している。また、誤って領域が変化してしまうこともない。即ち、第１の領域αに在った移動体は必ず第１の領域αへと、第２の領域βに在った移動体は必ず第２の領域βへと振り分けられる形状となっている。
【００５９】
このように、施錠確認表示機構付き鍵１の施解錠操作により、表示窓１１を通して視認できるマーキング２５ａ変化することで、施錠状態にあるか解錠状態にあるかを容易に判断でき便利である。
【００６０】
なお本発明は、上記実施形態に限られるものではなく、その趣旨及び技術思想を逸脱しない範囲で種々の変形が可能である。
【符号の説明】
【００６１】
１  鍵
２  鍵ブランク
３  握り部
４  施解錠表示機構
５  内部空間
１０  ケース
１１  表示窓
２０  スイッチ部材（スライド部材）
２１  挟持板
２２  凸面部
２３  突起部
２４  ステム部
２５  表示部
２６  張出部
２７  検知部
４０  案内部材
４５  凹部
５０  移動体
６０  スプリング（付勢部材）
７０  紐通し部材
８０  ストッパ
【図１】
2010203105.tif 000003
【図２】
2010203105.tif 000004
【図３】
2010203105.tif 000005
【図４】
2010203105.tif 000006
【図５】
2010203105.tif 000007
【図６】
2010203105.tif 000008
【図７】
2010203105.tif 000009
【図８】
2010203105.tif 000010
【図９】
2010203105.tif 000011
【図１０】
2010203105.tif 000012
【図１１】
2010203105.tif 000013
【図１２】
2010203105.tif 000014
【図１３】
2010203105.tif 000015